(57)【要約】【課題】  液体の侵入を防止しつつ操作つまみの機械的強度を確保し、意匠性にも優れた揺動操作型電気部品を提供すること。【解決手段】  上ケース１に突設した取付枠状部１１の相対向する壁部１１ａに貫通孔１１ｂを形成すると共に、操作つまみ８の内壁部に相対向する向きに突出する一対の回動軸８ｂを形成し、各回動軸８ｂを取付枠状部１１の外側から各貫通孔１１ｂに挿入して枢着させることにより、操作つまみ８が取付枠状部１１を覆った状態で壁部１１ａに軸支されるようにした。また、仕切り壁１２と近傍の壁部１１ａとの間隔を狭く設定しても操作つまみ８を該壁部１１ａに確実にスナップイン装着できるようにするため、操作つまみ８の側壁８ａにテーパ部８ｃを形成し、仕切り壁１２と対向する側壁８ａはテーパ部８ｃの先端側だけ該仕切り壁１２との間隔が若干広くなるようにした。【選択図】  図２
2006085946.tif 000002
【特許請求の範囲】
【請求項１】
揺動操作可能に保持された有底箱形状の操作つまみと、この操作つまみに押圧駆動される移動体を含み該移動体の位置変化に応じて異なる電気信号を出力可能な信号生成部と、前記操作つまみを軸支する取付枠状部を突設して前記信号生成部を収納したケースとを備え、
前記操作つまみの内壁部に相対向する向きに突出する一対の回動軸を形成すると共に、前記取付枠状部の相対向する一対の壁部にそれぞれ貫通孔を形成し、前記回動軸を前記取付枠状部の外側から前記貫通孔に挿入して枢着させたことを特徴とする揺動操作型電気部品。
【請求項２】
請求項１の記載において、前記ケースには少なくとも、前記貫通孔の存する面どうしを隣接させて並列に配置した２個の前記取付枠状部と、これら取付枠状部どうしの間に位置する仕切り壁とが突設してあり、かつ、前記操作つまみの開口端部における前記仕切り壁と対向する側壁には、先端側を漸次薄肉にして前記仕切り壁との間隔を漸増させたテーパ部が形成してあることを特徴とする揺動操作型電気部品。
【請求項３】
請求項１または２の記載において、前記信号生成部に、前記移動体によって駆動される複数の可動接点と、これらの可動接点に接離可能な複数の固定接点とが配設されていることを特徴とする揺動操作型電気部品。
【発明の詳細な説明】
【技術分野】
【０００１】
本発明は、操作つまみが揺動操作（シーソー操作）されるスイッチ装置や可変抵抗器等の揺動操作型電気部品に係り、特に、その操作つまみの取付構造に関する。
【背景技術】
【０００２】
従来より、例えば車載用パワーウインド装置に適用されるスイッチ装置などとして、揺動操作可能な有底箱形状の操作つまみと、この操作つまみに押圧駆動される移動体を含み該移動体の位置変化に応じて異なる電気信号を出力可能な信号生成部と、この信号生成部を収納したケースとを備え、操作つまみをケースの一部に回動可能に取り付けた揺動操作型電気部品が知られている。
【０００３】
図５は、従来のこの種の電気部品における操作つまみの取付構造の一例を示す説明図である（例えば、特許文献１参照）。同図において、有底箱形状の操作つまみ５０には、左右の側壁５１，５２にそれぞれ回動軸５３，５４が外向きに突出形成されている。この操作つまみ５０は、ケースの一部である相対向する壁部５５，５６の間に組み込まれており、各壁部５５，５６に形成された貫通孔５５ａ，５６ａに回動軸５３，５４を内側から挿入して枢着させている。ただし、両壁部５５，５６の間隔に比べて、両回動軸５３，５４を含めた操作つまみ５０の幅寸法は若干大きく設定されており、この操作つまみ５０を取り付ける際には、側壁５１，５２等の撓みを利用して操作つまみ５０を両壁部５５，５６の間に圧入していき、各回動軸５３，５４を対応する貫通孔５５ａ，５６ａにスナップインさせる。これにより、操作つまみ５０はケースの両壁部５５，５６に回動自在に支持されることとなり、その回動範囲を所定角度内に規制することによって、操作つまみ５０の揺動操作が可能となる。
【０００４】
また、他の従来例として、ケースの相対向する壁部にそれぞれ軸部を外向きに突出形成すると共に、各軸部を挿入させるための取付孔を操作つまみの一対の側壁に形成し、これら一対の側壁でケースの両壁部を挟み込むようにして各取付孔内に対応する軸部をスナップインさせることにより、操作つまみをケースの壁部に装着するという取付構造も知られている。
【特許文献１】特開平９−２５９７０３号公報（第２頁、図６）
【発明の開示】
【発明が解決しようとする課題】
【０００５】
図５に示す従来の揺動操作型電気部品では、ケースの両壁部５５，５６の間に操作つまみ５０が揺動可能に組み込まれており、かつ、回動軸５３，５４が挿入されている貫通孔５５ａ，５６ａが外部に露出しているため、雨水や飲み物等の液体が掛かった場合、壁部５５，５６と側壁５１，５２との間の隙間や、貫通孔５５ａ，５６ａと回動軸５３，５４との間の隙間などを通って、該液体がケースの内部へ入り込みやすくなる。しかるに、ケースの内部には接点部等の信号生成部が収納されているので、この信号生成部に外部から浸入した液体が付着すると、短絡事故や腐食を引き起こす危険性が高まり、信頼性が著しく損なわれるという問題がある。また、操作つまみ５０の回動軸５３，５４が外部から見えてしまうため、意匠性という面からも改善の余地がある。
【０００６】
一方、後者の従来例では、ケースの相対向する壁部を覆うようにして操作つまみを取り付けることができるため、雨水や飲み物等の液体がケースの内部へ入り込みにくい構造をある程度実現することはできるが、ケース側の軸部を挿入した操作つまみの取付孔が外部に露出しているため、これら取付孔と軸部との間の隙間を経由してケースの内部へ該液体が入り込む可能性はあり、よって該液体の浸入を確実に防止できるとは言い難い。また、一般的に操作つまみはケースほど剛性が高くはないので、操作つまみの取付孔にケースの軸部を係合させるという構造を採用すると、操作つまみの取付孔周縁部の機械的強度が不足して破損事故を招来しやすいという問題がある。また、この従来例の場合も、操作つまみの取付孔やケース側の軸部が外部から見えてしまうため、意匠性において改善の余地がある。
【０００７】
本発明は、このような従来技術の実情に鑑みてなされたもので、その目的は、液体の侵入を防止しつつ操作つまみの機械的強度を確保し、意匠性にも優れた揺動操作型電気部品を提供することにある。
【課題を解決するための手段】
【０００８】
上述した目的を達成するため、本発明による揺動操作型電気部品では、揺動操作可能に保持された有底箱形状の操作つまみと、この操作つまみに押圧駆動される移動体を含み該移動体の位置変化に応じて異なる電気信号を出力可能な信号生成部と、前記操作つまみを軸支する取付枠状部を突設して前記信号生成部を収納したケースとを備え、前記操作つまみの内壁部に相対向する向きに突出する一対の回動軸を形成すると共に、前記取付枠状部の相対向する一対の壁部にそれぞれ貫通孔を形成し、前記回動軸を前記取付枠状部の外側から前記貫通孔に挿入して枢着させる構成とした。
【０００９】
このようにケースに突設した取付枠状部が一対の貫通孔を有し、操作つまみの両回動軸を取付枠状部の外側から各貫通孔に挿入して枢着させれば、取付枠状部に軸支される操作つまみによって該取付枠状部を覆うことができ、回動軸や貫通孔が外部に露出することもなくなるため、雨水や飲み物等の液体が掛かっても該液体がケースの内部へ入り込む可能性は極めて低くなる。それゆえ、該液体の浸入に起因する信号生成部の短絡事故や腐食を確実に防止でき、信頼性が向上する。また、高剛性のケース側に形成した貫通孔に操作つまみに形成した回動軸を挿入するという取付構造になっているため、ケース側の軸部を操作つまみ側の孔に挿入するという取付構造に比べて、操作つまみの機械的強度を確保しやすい。また、操作つまみの回動軸や取付枠状部の貫通孔が外部に露出しないため、意匠性も高めやすい。
【００１０】
上記の構成において、前記ケースには少なくとも、前記貫通孔の存する面どうしを隣接させて並列に配置した２個の前記取付枠状部と、これら取付枠状部どうしの間に位置する仕切り壁とが突設してあり、かつ、前記操作つまみの開口端部における前記仕切り壁と対向する側壁には、先端側を漸次薄肉にして前記仕切り壁との間隔を漸増させたテーパ部が形成してある場合、操作者の肘が触れる等の意図せぬ力が作用しても、仕切り壁の存在によって操作つまみの誤操作を防止できて安全性が高まると共に、並設された操作つまみどうしの間隔を狭く設定しても、仕切り壁の存在によって手指の感触で各操作つまみを明瞭に識別することができ、それゆえ、車載用パワーウインド装置等に好適な揺動操作型電気部品が得られる。また、操作つまみを取付枠状部にスナップイン装着させる際に、操作つまみは回動軸を有する側壁を外側へ撓ませることになるが、仕切り壁と対向する側壁に前記テーパ部が形成してあり、このテーパ部は取付時に外側へ撓んでも操作つまみの幅寸法をさほど増大させないので、仕切り壁とこれに対向する側壁との間隔を極めて狭く設定して装置全体の小型化を図りつつ、操作つまみを取付枠状部に簡単かつ確実に取り付けることが可能となる。
【００１１】
また、上記の構成において、前記信号生成部に抵抗体や摺動子等を配設して揺動操作型可変抵抗器となすことも可能であるが、前記信号生成部に、前記移動体によって駆動される複数の可動接点と、これらの可動接点に接離可能な複数の固定接点とが配設されている場合、車載用パワーウインド装置に好適な操作スイッチが得られる。
【発明の効果】
【００１２】
本発明の揺動操作型電気部品は、操作つまみの内壁部に形成されて相対向する一対の回動軸を、ケースに突設した取付枠状部に形成されている一対の貫通孔に外側から挿入して枢着させることにより、取付枠状部を覆う操作つまみが該取付枠状部に軸支されるという取付構造を採用しているため、雨水や飲み物等の液体がケースの内部へ入り込む可能性が極めて低く、操作つまみの機械的強度も確保しやすくなり、信頼性の高い揺動操作型電気部品が得られる。また、操作つまみの回動軸や取付枠状部の貫通孔が外部に露出しないため、意匠性も高めやすくなる。
【００１３】
特に、並列に配置した２個の取付枠状部の間に仕切り壁を突設した構成において、この仕切り壁と対向する操作つまみの側壁に、先端側を漸次薄肉にして仕切り壁との間隔を漸増させたテーパ部を形成しておけば、仕切り壁と該側壁との間隔を極めて狭く設定して装置全体の小型化を図りつつ、操作つまみを取付枠状部に簡単かつ確実に取り付けることが可能となるため、車載用パワーウインド装置等に好適な揺動操作型電気部品が得られる。
【発明を実施するための最良の形態】
【００１４】
発明の実施の形態を図面を参照して説明すると、図１は本発明の実施形態例に係るスイッチ装置の分解斜視図、図２は該スイッチ装置の断面図、図３は該スイッチ装置の操作つまみを取り付ける際の組立工程を示す説明図、図４は該スイッチ装置の接点部の構成を示す説明図である。
【００１５】
本実施形態例に係るスイッチ装置は車載用パワーウインド装置の操作スイッチとして使用されるものであり、このスイッチ装置は、筐体を構成する上ケース１および下ケース２と、この筐体の内部に設置された回路基板３と、複数箇所に中空凸状部５を有して回路基板３上に載置されたクリックゴム４と、複数の中空凸状部５上に横架されたカム部材６と、このカム部材６を押圧駆動するスライダ７と、上ケース１に取り付けられた４個の操作つまみ８および大小の操作体９，１０とによって主に構成されている。
【００１６】
上ケース１の上面には、各操作つまみ８に対応する取付枠状部１１が４箇所に突設されていると共に、近接して並設された２個の取付枠状部１１の間に仕切り壁１２が突設されている。各取付枠状部１１の形状や大きさはすべて同じであり、いずれも、相対向する一対の壁部１１ａにそれぞれ操作つまみ８を揺動可能に軸支するための貫通孔１１ｂが形成されている。また、仕切り壁１２とその両側に位置する取付枠状部１１との間隔は狭く設定されており、それゆえ取付枠状部１１に装着した操作つまみ８と仕切り壁１２との間隔は極めて狭くなっている。ただし、取付枠状部１１と仕切り壁１２との間隔が狭くても、スライドコア等を用いることにより各取付枠状部１１に貫通孔１１ｂを形成することは容易である。この上ケース１の側面には複数箇所に係合孔１ａが形成されており、一方、下ケース２の側面には複数箇所に係止突起２ａが形成されている。これらの上ケース１と下ケース２は、各係止突起２ａを対応する係合孔１ａに嵌め入れることによって一体化される。
【００１７】
回路基板３には、複数の固定接点１３（図４参照）を含む図示せぬ回路パターンが形成されていると共に、ＬＥＤやコンデンサ等の図示せぬ各種電子部品が実装されている。
【００１８】
クリックゴム４は、回路基板３上に被着される平板部４ａの複数箇所に中空凸状部５が立設された一体成形品であって、各中空凸状部５は各固定接点１３と対応する位置に配置されている。図４に示すように、中空凸状部５には、平板部４ａから膨出するドーム形状の弾性変形部５ａと、弾性変形部５ａの上端を蓋閉する円柱状のステム５ｂと、ステム５ｂの略中央から上方へ突出する凸部５ｃとが形成されており、ステム５ｂの下面には固定接点１３と接離可能な可動接点１４が設けられている。なお、中空凸状部５は同一高さで形状が若干異なる２種類のものが交互に配設されており、一方は凸部５ｃが大径でステム５ｂが短く形成されているのに対し、他方は凸部５ｃが小径でステム５ｂが長めに形成されている。そのため、前者の中空凸状部５に比べて後者の中空凸状部５は、可動接点１４を固定接点１３に接触させるまでの作動ストロークが短くなっている。ただし、これら２種類の中空凸状部５の基本的な構成は同等である。
【００１９】
カム部材６は、隣接する２個の中空凸状部５上に横架されて操作つまみ８の押圧力を受ける受圧部６ａを一対備えており、これら一対の受圧部６ａを薄肉で細長い橋絡部６ｂによって連結した形状に成形されている。受圧部６ａの両端部には大小の嵌合孔６ｃが形成されており、各嵌合孔６ｃに中空凸状部５の凸部５ｃが圧入により強嵌合される。つまり、受圧部６ａの一端側の大径な嵌合孔６ｃに大径な凸部５ｃが強嵌合され、他端側の小径な嵌合孔６ｃに小径な凸部５ｃが強嵌合される。これにより、隣接する２個の中空凸状部５によって受圧部６ａを水平に保持することができると共に、受圧部６ａを介して中空凸状部５に操作つまみ８の押圧力を付与することができる。ただし、橋絡部６ｂが弾性に富むため、カム部材６を構成する一対の受圧部６ａは独立に動作させることができる。
【００２０】
スライダ７は、上ケース１に昇降可能に組み込まれて受圧部６ａと操作つまみ８との間に介装される押圧片である。このスライダ７の下端部にはカム部材６の受圧部６ａに当接する押圧突起７ａが形成されており、スライダ７の側面には位置決め用の突条部７ｂが形成されている。また、図示していないが、上ケース１の上底部には各スライダ７が収納されるスロット状の空所が複数箇所に形成されていると共に、これら空所の壁面にガイド溝が形成されており、このガイド溝に突条部７ｂを挿入した状態で各空所内にそれぞれスライダ７を昇降可能に配置させている。したがって、スライダ７は上ケース１の所定位置に正確に組み込まれており、昇降動作時にスライダ７が傾くこともない。なお、スライダ７の押圧突起７ａは、受圧部６ａの中心位置ではなく一端側へ偏った位置に当接される。具体的には、受圧部６ａのうち小径な嵌合孔６ｃに近い側（大径な嵌合孔６ｃから遠い側）に押圧突起７ａが当接される。これは、操作つまみ８に押し込まれてスライダ７が下降したときに、受圧部６ａが横架されている２種類の中空凸状部５のうち、凸部５ｃが大径で作動ストロークが比較的長い一方の中空凸状部５よりも、凸部５ｃが小径で作動ストロークが短い他方の中空凸状部５の弾性変形部５ａを先に座屈させるためである。
【００２１】
操作つまみ８は、下端側が開口端となっている有底箱形状の成形品であり、略平行な一対の側壁８ａの内壁面にそれぞれ回動軸８ｂが形成されている。これら一対の回動軸８ｂは相対向する向きに突出しており、両回動軸８ｂを上ケース１の取付枠状部１１の相対向する壁部１１ａに形成されている一対の貫通孔１１ｂに外側から挿入して枢着させるというスナップイン装着によって、操作つまみ８は取付枠状部１１を覆った状態で壁部１１ａに揺動操作可能に保持される。また、操作つまみ８の一対の側壁８ａの下端部には、先端側が漸次薄肉で外壁が傾斜面となっているテーパ部８ｃが形成されており、仕切り壁１２と対向する側壁８ａのテーパ部８ｃが先端側で該仕切り壁１２との間隔を漸増させていることから、操作つまみ８の取付時に必要となる該側壁８ａの逃げスペースが確保されている。すなわち、操作つまみ８を取付枠状部１１にスナップイン装着させる際には、回動軸８ｂを有する側壁８ａを外側へ撓ませなければならないが、仕切り壁１２と対向する側壁８ａの場合、必要量だけ撓ませるために仕切り壁１２との間隔を広げると上ケース１の幅寸法が不所望に増大してしまう。そこで、予め側壁８ａの下端部をテーパ部８ｃとなして外側に逃げスペースを設けておくことにより、図３に示すように、該側壁８ａが取付時に必要量だけ撓んでも近傍の仕切り壁１２に当接しないようにしてある。なお、図示していないが、操作つまみ８の上底部には複数の駆動突起が下向きに突出形成されており、これら駆動突起がカム部材６の異なる受圧部６ａに対応する２個のスライダ７上に配置されることにより、各スライダ７が選択的に押し込めるようになっている。つまり、操作つまみ８が一方向へ揺動操作されると一方のスライダ７が押し込まれて下降し、操作つまみ８が逆方向へ揺動操作されると他方のスライダ７が押し込まれて下降するようになっている。
【００２２】
このように構成されたスイッチ装置を組み立てる際には、中空凸状部５の凸部５ｃを受圧部６ａの嵌合孔６ｃに強嵌合することによってカム部材６をクリックゴム４に取り付けた後、このクリックゴム４を回路基板３上に載置し、この回路基板３を下ケース２内に収納して固定する。また、操作つまみ８や操作体９，１０を上ケース１の上面に取り付けると共に、スライダ７を上ケース１の上底部に組み込む。そして、係止突起２ａを係合孔１ａに嵌め入れることによって、上ケース１と下ケース２とを一体化する。
【００２３】
次に、上述したスイッチ装置の動作について説明すると、非操作時には操作つまみ８がスライダ７を押し込んでいないため、２個の中空凸状部５上に横架されている受圧部６ａに対して操作つまみ８の押圧力は付与されず、この受圧部６ａは中空凸状部５によって水平に保持されている。この状態で、各中空凸状部５の弾性変形部５ａは図２に示すように座屈しておらず、よって可動接点１４は対応する固定接点１３から離隔してスイッチオフ状態となっている。
【００２４】
この状態で操作者が操作つまみ８を一方向へ回転させる揺動操作を行うと、前記駆動突起が下降する側でスライダ７が押し込まれるため、このスライダ７が受圧部６ａを押圧駆動して、まず作動ストロークの短い中空凸状部５の弾性変形部５ａが座屈し、この中空凸状部５内の可動接点１４が対応する固定接点１３に接触して第１のスイッチオン信号が出力される。このスイッチオン信号はウインドを開方向に動作させるための駆動信号として利用される。また、中空凸状部５の座屈に伴うクリック感触が操作つまみ８に伝達されるため、操作者はウインドを開駆動させるオン操作が行えたことを手指にて感得することができる。
【００２５】
この後、操作つまみ８に対する操作力を除去すると、座屈状態にある中空凸状部５の弾性変形部５ａがドーム形状に復元するため、この中空凸状部５上の受圧部６ａが押し上げられてスライダ７が上昇し、それに伴って操作つまみ８が非操作時の姿勢に自動復帰すると共に、この中空凸状部５内の可動接点１４が対応する固定接点１３から離隔してスイッチオフ状態に戻る。
【００２６】
しかるに、操作力を除去するのではなく、操作つまみ８を前記一方向へさらに深く回転させる揺動操作を行った場合には、作動ストロークの短い中空凸状部５を座屈させて傾いている受圧部６ａがスライダ７によってさらに押し込まれることになるので、この受圧部６ａの該中空凸状部５側とは逆側の端部が下方に位置する別の中空凸状部５、つまり作動ストロークの長い中空凸状部５を押し込んでその弾性変形部５ａを座屈させる。これにより、受圧部６ａが横架されている２個の中空凸状部５内の可動接点１４がいずれも対応する固定接点１３に接触した状態となるため、それに伴う第２のスイッチオン信号が出力される。このスイッチオン信号はウインドを全開させるための駆動信号として利用される。また、作動ストロークの長い中空凸状部５の座屈に伴うクリック感触が操作つまみ８に伝達されるため、操作者はウインドを全開させるオン操作が行えたことを手指にて感得することができる。
【００２７】
こうしてウインドを全開させるオン操作を行った後、操作つまみ８に対する操作力を除去すると、座屈状態にある２個の中空凸状部５の弾性変形部５ａがそれぞれドーム形状に復元するため、両中空凸状部５上に横架されている受圧部６ａが押し上げられてスライダ７が上昇し、それに伴って操作つまみ８が非操作時の姿勢に自動復帰すると共に、両中空凸状部５内の可動接点１４がいずれも対応する固定接点１３から離隔してスイッチオフ状態に戻る。
【００２８】
なお、非操作状態で操作つまみ８を他方向へ回転操作した場合の動作も基本的に同じであり、操作つまみ８を浅く回転させる揺動操作によって作動ストロークの短い中空凸状部５のみを座屈させることができるため、この中空凸状部５の座屈動作に伴い、ウインドを閉方向に動作させるための駆動信号として利用される第３のスイッチオン信号を出力させることができ、操作力を除去すれば初期状態に自動復帰する。また、操作つまみ８を深く回転させる揺動操作によって、作動ストロークの短い中空凸状部５だけでなく作動ストロークの長い中空凸状部５も座屈させることができるため、これら両中空凸状部５の座屈動作に伴い、ウインドを全閉させるための駆動信号として利用される第４のスイッチオン信号を出力させることができ、操作力を除去すれば初期状態に自動復帰する。
【００２９】
このように本実施形態例に係るスイッチ装置は、上ケース１に突設した取付枠状部１１の相対向する壁部１１ａがそれぞれ貫通孔１１ｂを有し、操作つまみ８の両回動軸８ｂを取付枠状部１１の外側から各貫通孔１１ｂに挿入して枢着させているので、操作つまみ８が取付枠状部１１を覆った状態で壁部１１ａに軸支されており、回動軸８ｂや貫通孔１１ｂが外部に露出することもない。そのため、操作つまみ８やその周辺に雨水や飲み物等の液体が掛かったとしても、その液体が上ケース１の内部へ入り込む可能性は極めて低く、こうした液体の浸入に起因する接点部や電子部品の短絡事故や腐食を確実に防止できて信頼性が向上している。また、上ケース１の一部で比較的剛性が高い取付枠状部１１に形成した貫通孔１１ｂに、操作つまみ８に形成した回動軸８ｂを挿入するという取付構造になっているため、ケース側の軸部を操作つまみ側の孔に挿入するという取付構造に比べて、操作つまみ８の機械的強度が確保しやすい。また、操作つまみ８の回動軸８ｂや取付枠状部１１の貫通孔１１ｂが外部に露出しないため、貫通孔１１ｂを覆う部材を別途設ける等の必要がなくなり、小型でかつ意匠性も高めやすい。
【００３０】
また、本実施形態例に係るスイッチ装置では、上ケース１の上面で近接して並設された２個の取付枠状部１１の間に仕切り壁１２を突設し、この仕切り壁１２と近傍の操作つまみ８との間隔を極めて狭く設定してあるため、仕切り壁１２によって誤操作を防止しつつ、上ケース１の幅寸法を抑えた小型化が実現されている。すなわち、操作者の肘が触れる等の意図せぬ力が作用しても、仕切り壁１２の存在によって操作つまみ８が誤って押し込まれることを防止できて安全性が高まると共に、並設された操作つまみ８どうしの間隔が狭くても、両者間に仕切り壁１２が存在することによって手指の感触で各操作つまみ８を明瞭に識別できる。また、操作つまみ８には仕切り壁１２と対向する側壁８ａの下端部にテーパ部８ｃが形成してあり、このテーパ部８ｃは取付時に外側へ撓んでも操作つまみ８の幅寸法をさほど増大させないので、仕切り壁１２とこれに対向する側壁８ａとの間隔を極めて狭く設定して装置全体の小型化を図りつつ、操作つまみ８を取付枠状部１１に簡単かつ確実に取り付けられるようになっている。
【００３１】
なお、本実施形態例では、仕切り壁１２と対向しない側壁８ａの下端部にもテーパ部８ｃが形成してあるが、これは、各操作つまみ８を共通化して部品コストを低減するためである。
【００３２】
また、本実施形態例では、移動体をスライダ７とカム部材６で構成した場合について説明したが、必要に応じてこれら部材の一部を省略してもよく、あるいは他の公知の機構を採用することも可能である。
【図面の簡単な説明】
【００３３】
【図１】本発明の実施形態例に係るスイッチ装置の分解斜視図である。
【図２】該スイッチ装置の断面図である。
【図３】該スイッチ装置の操作つまみを取り付ける際の組立工程を示す説明図である。
【図４】該スイッチ装置の接点部の構成を示す説明図である。
【図５】従来例に係る操作つまみの取付構造を示す説明図である。
【符号の説明】
【００３４】
１  上ケース
２  下ケース
３  回路基板
４  クリックゴム
５  中空凸状部
６  カム部材
６ａ  受圧部
７  スライダ
７ａ  押圧突起
８  操作つまみ
８ａ  側壁
８ｂ  回動軸
８ｃ  テーパ部
１１  取付枠状部
１１ａ  壁部
１１ｂ  貫通孔
１２  仕切り壁
１３  固定接点
１４  可動接点
【図１】
2006085946.tif 000003
【図２】
2006085946.tif 000004
【図３】
2006085946.tif 000005
【図４】
2006085946.tif 000006
【図５】
2006085946.tif 000007